(57)【特許請求の範囲】
【請求項１】
ＯＬＥＤブレードを電気的に接続するためのソケットであって、該ソケットは、第１部分及び第２部分を含んでおり、第１部分と第２部分との間に前記ＯＬＥＤブレードを受容するスロットを含み、第１部分と第２部分とは前記スロットの内壁を形成する第１の機械式固定具を介して機械的に接続され、第１部分又は第２の部分の少なくとも一部は、前記スロット内に挿入されたときに、前記ＯＬＥＤブレードによって放出された一次光が、第１部分又は第２部分を通過できるように透明にされ、前記ソケットは、前記ＯＬＥＤブレード及び第１の機械式固定具を電気的に接触させて、前記ＯＬＥＤブレードを第１部分と第２部分との間で取り外し可能な態様で取り付けるための第１の電気接点をさらに含み、前記ソケットは、電力を第１の電気接点に供給するための電気コネクタをさらに含み、第１の電気接点は前記スロットの前記内壁に沿って第１の機械式固定具に埋め込まれていて、
第１部分は、第１の二次光学系を含み、第２部分は、第２の二次光学系を含み、第１及び第２の二次光学系の両方は、前記スロット内に挿入されたときに、前記ＯＬＥＤブレードによって放出された一次光の配光を変更するように構成される、
ソケット。
【請求項２】
第１部分及び第２部分の少なくとも一部は、前記スロット内に挿入されたときに、前記ＯＬＥＤブレードによって放出された一次光が、第１部分及び第２部分を通過するように透明にされる、
請求項１に記載のソケット。
【請求項３】
前記スロット及び／又は第１の機械式固定具は、前記ＯＬＥＤブレードの明確な電気的接続が可能になるように配置される、
請求項１又は２に記載のソケット。
【請求項４】
第１部分及び／又は第２部分の二次光学系は、従来のレンズ、フレネルレンズ、又はホログラフィック素子である、
請求項１又は２に記載のソケット。
【請求項５】
前記二次光学系は、第１部分及び／又は第２部分から着脱することができる、
請求項１に記載のソケット。
【請求項６】
前記ソケットは、前記ＯＬＥＤブレードを駆動するドライバを含む、
請求項１又は２に記載のソケット。
【請求項７】
請求項１に記載のソケット及び前記ＯＬＥＤブレードを有する光源。
【発明の詳細な説明】
【技術分野】
【０００１】
本発明は、ＯＬＥＤブレードを電気的に接続するためのソケットに関する。本発明は、ＯＬＥＤブレード、ＯＬＥＤブレードパネル、並びにソケット及びＯＬＥＤブレード又はＯＬＥＤブレードパネルを有する光源にさらに関する。
【背景技術】
【０００２】
米国特許第６，７８７，９９０号は、固体状態のエリア照明（面）光源を開示しており、この光源は、剛性支持体と；この剛性支持体に取り付けられたフレキシブル基板と；このフレキシブル基板上に堆積された有機発光ダイオード（ＯＬＥＤ）層であって、この有機発光ダイオード層は、このＯＬＥＤ層に電力を供給するための第１及び第２の電極を含む、ＯＬＥＤ層と；ＯＬＥＤ層を覆う封止カバーであって、第１及び第２の導体が、それら第１及び第２の電極に電気的に接続され、且つ外部電源により、第１及び第２の電極に電気的接触を形成するために封止カバーを越えて延びている、封止カバーと；剛性支持体に接続されたベースであって、このベースは、ソケットによって取り外し可能に受容されるように構成され、且つ光源の第１及び第２の導体に電気的接続を形成するための第１の電気接点、及びソケット内の導体に電気的接続を形成するための第２の電気接点を有する、ベースと；を含む。
この開示されたエリア照明光源は、限られた適応性のみを提示する。
【発明の概要】
【発明が解決しようとする課題】
【０００３】
本発明の目的は、取り扱いが容易なＯＬＥＤベースのフレキシブルな光源を提供することである。
【課題を解決するための手段】
【０００４】
第１の態様によれば、ＯＬＥＤブレードを電気的に接続するためのソケットが提供される。ソケットは、第１部分及び第２部分を含んでおり、第１部分と第２部分との間にＯＬＥＤブレードを受容するためのスロットを含み、第１部分又は第２部分の少なくとも一部は、スロット内に挿入されたときに、ＯＬＥＤブレードによって放出された一次光が、第１部分又は第２部分を通過できるように透明にされ、ソケットは、ＯＬＥＤブレード及び第１の機械式固定具を電気的に接触させて、ＯＬＥＤブレードを第１部分及び第２部分の間に取り外し可能な方法で取り付けるための第１の電気接点をさらに含み、ソケットは、電力を第１の電気接点に供給するための電気コネクタをさらに含む。電気コネクタは、対応するコネクタに電気的に接続されるねじ込み式口金(screw  base)、ピン接点又はケーブルであってもよい。
【０００５】
このソケットによって、例えば公知のＥ２７又はＥ１４ねじ込み式口金と組み合わせてＯＬＥＤを使用することが可能になる。第１部分及び第２部分によって、ＯＬＥＤを含むＯＬＥＤブレードが取り囲まれる。第１及び第２部分は、工具なしで第１及び第２部分を分離できないように固定式接続部とすることができる。ＯＬＥＤブレードは、平面シート状のＯＬＥＤを含み、且つＯＬＥＤの平面に対して本質的に垂直な１又は２方向にランバート配光の一次光を放出することができる。ＯＬＥＤは、ＯＬＥＤブレードと固定接続してもよいし、又は取り外し可能な接続であってもよい。取り外し可能な接続の場合に、ＯＬＥＤブレードは、ＯＬＥＤ用の着座部を含むＯＬＥＤブレードパネルを有する。ＯＬＥＤブレード及びＯＬＥＤブレードパネルによって、構成に応じて、ソケットとＯＬＥＤとの間に機械的及び電気的な接続部が提供される。ＯＬＥＤブレードは、ソケットの第１の機械式固定具により固定される。第１の機械式固定具は、スロットの内壁であってもよい。ＯＬＥＤブレードを、スロット内に導入してもよく、最終的な位置に到達するまで、内壁に沿って摺動することができる。最終位置において、ＯＬＥＤブレードとソケットの第１の電気接点との間の電気的接続が、確立される。ＯＬＥＤブレードの導入の間に停止点を提供するポスト（柱）は、第１の機械式固定具の一部であってもよい。また、１つ又は複数のクランプは、ＯＬＥＤブレードを最終位置に保持するために、第１の機械式固定具の一部であってもよい。代替的に又は追加的に、ロック等によって、ＯＬＥＤブレードが誤ってスロットから抜け出ることを回避することができる。
【０００６】
ＯＬＥＤブレードを、ソケット内に容易に挿入し又はこのソケットから容易に取り出すことができる。これによって、ＯＬＥＤ又はＯＬＥＤブレードを容易な方法で交換することができ、それによって、例えば、ＯＬＥＤの新しくより効率的な形成（generation）を、利用可能な設備と組み合わせて、ねじ込み式口金又は電源コンセントとして使用することができる。更に、白色ＯＬＥＤを、着色又は多色ＯＬＥＤに容易に交換することができる。
【０００７】
ＯＬＥＤブレードにおいてＯＬＥＤ平面の片面発光ＯＬＥＤ又は両面発光ＯＬＥＤが使用されるかどうかに応じて、第１及び／又は第２部分は、少なくとも部分的に透明であってもよい。スロット内に挿入されると、ＯＬＥＤブレードによって放出された一次光は、こうして、第１部分、第２部分、又は両方を通過することができる。また、ソケットは、第１部分及び／又は第２部分の少なくとも一部を交換することによって第１部分及び／又は第２部分を容易に変更することができるような態様で配置することができる。こうして、不透明な第１部分又は第２部分を、透明な第１部分又は第２部分に変換することができる。第１部分及び第２部分は、第１部分及び／又は第２部分の一部又は全体をソケットから着脱できるような態様で配置することができる。第１部分及び／又は第２部分の全体は、第１部分及び／又は第２部分が、ＯＬＥＤブレードによって放出された一次光の配光を変更する、又はＯＬＥＤブレードをスロット内に挿入したときに、一次光を二次光に変換するように構成された二次光学系を含む場合に特に有利となり得る。二次光学系によって、配光又は光を柔軟な方法でユーザのニーズに適合できるように交換することができる。代替的に又は追加的に、二次光学系を含む第１部分及び／又は第２部分は、交換可能であってもよい。
【０００８】
一般に、ＯＬＥＤと組み合わせて使用されるある種類の光デバイスは、第１部分及び／又は第２部分内の二次光学系として使用することができる。例としては、従来のレンズ、フレネルレンズ、蛍光体シート又はホログラフィック素子であってもよい。二次光学系は、好ましくは、ランバート配光で光を放出する発光装置の大面積の光を分散又は変更するように構成される。
【０００９】
スロット及び／又は第１の機械式固定具は、ＯＬＥＤブレードの明確な（方向が規定された(unambiguous）)電気的接続が可能になるような態様で配置することができる。ＯＬＥＤブレードの明確な電気的接続は、ＯＬＥＤブレードが直流を必要とする場合に、誤動作を回避するために、ＯＬＥＤブレードを、ソケットの第１の電気接点に一方向にのみ接続することができるという点で重要である。スロットは、明確な電気的接続を提供するように配置された１つ又は複数のガイドレールを含んでもよい。あるいはまた、スロットは、ＯＬＥＤブレードを規定した方向に導入することをユーザに強制するために、幅広にした入口であってもよい。更に、第１の機械式固定具は、オス型又はメス型コネクタを含んでもよく、ＯＬＥＤブレードは、例えば、明確な接続が可能になるような対応するコネクタを有してもよい。第１の機械式固定具のオス型又はメス型コネクタは、第１の電気接点を含むことができる。
【００１０】
ＯＬＥＤブレードは、直流又は交流によって駆動することができる。ソケットは、ＯＬＥＤを直流で駆動しなければならない場合に、従来の主電力を直流に変換するためのドライバを含んでもよい。ドライバは、ソケットと固定接続してもよく、又は取り外し可能であってもよい。取り外し可能なドライバは、ドライバを新しいＯＬＥＤブレードに適合させることができるという利点を有することができる。
【００１１】
ＯＬＥＤブレードに関して２つの異なるオプションが存在する。第１のオプションでは、ＯＬＥＤブレードは、ＯＬＥＤ、第２の電気接点、及び第１の摺動面を含み、ここで第１の摺動面は、上述したように、ソケットのスロット内に摺動するように構成される。電気的接続が、ソケットの第１の電気接点とＯＬＥＤブレードの第２の電気接点との間に確立され、それによって、ＯＬＥＤブレードに含まれるＯＬＥＤに電力を供給することができる。
【００１２】
ＯＬＥＤブレードは、例えば、ディスク形状とすることができ、このディスクの上面及び下面を、電気絶縁層によって分離された第２の電気接点として配置してもよい。第１の電気接点は、ＯＬＥＤブレードがスロット内に導入されると直ぐに、ソケットとＯＬＥＤブレードとの間に電気的接続を確立するようなばね接点でもよい。第１の摺動面は、ＯＬＥＤブレードをスロット内に導入するのをサポートするように配置されたＯＬＥＤブレードの１つ又は複数の面であってもよい。ＯＬＥＤブレードがディスク形状の実施形態の場合には、ディスクの上下面を、スロットの内面に沿って摺動するように配置することができる。あるいはまた、ディスクの環状面を、ソケットのガイドレール内で摺動する摺動面として配置してもよい。ＯＬＥＤブレードの表面上の突起又は切込みを、ＯＬＥＤブレードの明確な電気的接続をソケットに対して可能にするような第２の機械式固定具として使用することができる。ＯＬＥＤブレードは、円形、矩形、三角形、楕円形であってもよく、ソケットの対応するスロット内に嵌合するような任意の他の形状を有してもよい。第１部分及び第２部分の形状は、ＯＬＥＤブレードの形状と同じであってもよい。あるいはまた、ソケットは、ＯＬＥＤブレードとは異なる形状を有してもよく、それによって、矩形のＯＬＥＤブレードを、例えば、実質的に円形状の第１及び第２部分を含むソケット内に導入することができる。第１及び／又は第２部分に埋め込まれた二次光学系を使用して、第１部分及び／又は第２部分の形状に配光を適合することができる。
【００１３】
第２のオプションでは、ＯＬＥＤブレードは、ＯＬＥＤブレードパネルを含む。ＯＬＥＤブレードパネルは、ＯＬＥＤを受容するための着座部を有する。ＯＬＥＤブレードパネルは、上述したようにソケットのスロット内で摺動するように構成された第２の摺動面をさらに含み、それによって、ソケットの第１の電気接点とＯＬＥＤの第２の電気接点との間の電気的接続を確立することができる。ＯＬＥＤブレードパネルは、ソケットと、ＯＬＥＤブレードパネルの着座部に配置されるＯＬＥＤとの間のアダプタである。ＯＬＥＤブレードパネルは、着座部に配置された場合に、ソケットとＯＬＥＤとの間の電気的接続の構成に応じて、機械的な支持を提供する。ＯＬＥＤブレードパネルは、例えば、２つのディスク形状の構造体から構成してもよく、それによって、例えば、ディスク形状ＯＬＥＤを、両方のディスク形状の構造体の間に挟み込むことができる。ディスク状構造体の第２の摺動面は、ディスク形状ブレードパネルの第１の摺動面に関して上述したのと同様の態様で配置することができる。各ディスク状構造体の一方の面は、ソケットとＯＬＥＤブレードとの間に電気的接続を確立するような第２の電気接点を含むことができ、各ディスク状構造体の他方の面は、ＯＬＥＤの電気接点に電気的に接続される第３の電気接点を含むことができ、それによって、第２及び第３の電気接点を介して、ソケットの第１の電気接点とＯＬＥＤの電気接点との間に電気的接続を確立することができる。あるいはまた、ＯＬＥＤを受容する着座部は、ＯＬＥＤが配置されるような、ＯＬＥＤブレードパネル内の凹部であってもよい。この場合に、ＯＬＥＤの電気接点を使用して、ソケットの第１の電気接点を直接的な態様で接触させることができる。ＯＬＥＤの両方の電気接点は、ＯＬＥＤが、ＯＬＥＤブレードパネルの凹部に配置された場合に、外側に面したＯＬＥＤの一方の面に配置することができる。ＯＬＥＤの第１の電気接点を、ソケットの一方の第１の電気接点に直接的に電気的に接続し、ＯＬＥＤの第２の電気接点を、ＯＬＥＤブレードパネルの１つの第２の及び１つの第３の電気接点を介して、ソケットの他方の第１の電気接点に電気的に接続することも可能である。
【００１４】
第３の機械式固定具及び第４の機械式固定具を、ＯＬＥＤブレードパネルの着座部に受容されるＯＬＥＤとソケットとの間に明確な電気的接続を可能にするために提供することができる。第４の機械式固定具は、ＯＬＥＤブレードパネルとソケットとの間の明確な電気的接続が、ＯＬＥＤブレードに関して上述した第２の機械式固定具と同様に可能になるように配置される。第３の機械式固定具は、ＯＬＥＤブレードパネルとＯＬＥＤとの間に明確な電気的接続が可能になるように配置することができる。第３及び第４の機械式固定具は両方とも、例えば、突起及び／又は切込み、又はこれららの組合せであってもよい。
【００１５】
ＯＬＥＤブレード又はＯＬＥＤブレードパネルは、ＯＬＥＤを駆動するためのドライバを含んでもよい。ＯＬＥＤブレードに埋め込まれたドライバ又はＯＬＥＤブレードパネルは、ソケットにドライバを必要としないという利点を有するだろう。ＯＬＥＤブレードパネルは、ＯＬＥＤがＯＬＥＤブレードの固定部分である場合に、ドライバをＯＬＥＤに適合させることができるという利点を有する。あるいはまた、ＯＬＥＤブレードパネル及びＯＬＥＤは、ＯＬＥＤブレードパネルに含まれるドライバが、ＯＬＥＤに嵌合するように組み合わせることができる。こうして、フレキシブルな且つ最適化された光源が提供される。
【００１６】
光源は、ＯＬＥＤブレード又はＯＬＥＤブレードパネルと組み合わされ、上述したようなソケットを含むことができる。ＯＬＥＤブレードパネルの場合は、ＯＬＥＤは、ソケットが電源に接続される場合に、光を放出するために必要とされる。
【００１７】
本発明の好適な実施形態は、それぞれの独立請求項と従属請求項との任意の組合せであってもよいことを理解すべきである。
更なる有利な実施形態について、以下で規定される。
【図面の簡単な説明】
【００１８】
【図１】ソケット、ＯＬＥＤブレードパネル、及びＯＬＥＤブレードの斜視図である。
【図２】図１に示したソケットの側面図である。
【図３】図１に示したソケットの断面図である。
【図４】図１に示したソケット、ＯＬＥＤブレードパネル、及びＯＬＥＤブレードの更なる斜視図である。
【図５】図１に示したソケット、ＯＬＥＤブレードパネル、及びＯＬＥＤブレードの更なる斜視図である。
【図６】ＯＬＥＤブレードパネル及びＯＬＥＤブレードの斜視図である。
【図７】ＯＬＥＤブレードパネルの側面図である。
【図８】ＯＬＥＤブレードパネル及びＯＬＥＤブレードの分解図である。
【図９】ソケットの別の実施形態を示す図である。
【図１０】図９に示したソケットの回転図である。
【図１１】ＯＬＥＤブレードパネル及びＯＬＥＤブレードの別の実施形態の斜視図である。
【図１２】ＯＬＥＤブレードパネル及びＯＬＥＤブレードの別の実施形態の斜視図である。
【図１３】図１２に示したＯＬＥＤブレードブレード及びＯＬＥＤパネルの上面図である。
【発明を実施するための形態】
【００１９】
本発明のこれらの態様及び他の態様は、これ以降に説明する実施形態を参照して説明することにより明らかになろう。
本発明について、添付の図面を参照した実施形態に基づいて一例としてここで説明する。
【００２０】
本発明の様々な実施形態について、ここで図を用いて説明する。
図１及び図２に示されるソケットは、電気コネクタ１３０、例えばソケットと電源とを接続するためのエジソンＥ２７ねじ込み式口金(screw  base)を有する。図２に示されるように、電気コネクタ１３０は、第１部分１１０と第２部分１２０との間のスロット１７０含んだ状態で第１部分１１０及び第２部分１２０に接続される。第１部分１１０及び第２部分１２０は、第１の機械式固定具１４０を用いて機械的に接続される。第１の機械式固定具１４０は、ＯＬＥＤブレードパネル２００の第２の電気接点２１０が、機械式固定具１４０に埋め込まれた、ソケット１００の第１の電気接点１５０と接触するまで、ＯＬＥＤブレードパネル２００及びＯＬＥＤ２９０を含むＯＬＥＤブレード３００が、機械式固定具１４０に沿って摺動するような態様で配置される。第２部分１２０は、少なくとも部分的に透明であり、且つこの実施形態では、第１の二次光学系１２５、例えば収束又は発散レンズを含む。第１の二次光学系１２５は、その収束又は発散レンズを、例えば光パターンを提供するホログラフィック光学素子に交換できるように着脱可能にされる。
【００２１】
図３には、図１及び２に示されたソケット１００及びＯＬＥＤブレードパネルの断面図が示されている。ドライバ１６０が、電気コネクタ１３０内に埋め込まれており、電源（図示せず）によって供給される電圧をＯＬＥＤ２９０（図示せず）の駆動電圧に適合する。ドライバ１６０は、第１の電気接点１５０に電気的に接続される。ＯＬＥＤブレードパネル２００は、スロット１７０内に挿入され、且つ第２の電気接点２１０及び第１の電気接点１５０を介して電気的に接続され、それによって、例えば電源によって供給される通常の交流によって、ＯＬＥＤ２９０（図示せず）を駆動することができる。ＯＬＥＤブレードによって放出された一次光は、第１の二次光学系１１５及び第２の二次光学系１２５を用いて分散される。第１の二次光学系１１５及び第２の二次光学系１２５は、ＯＬＥＤブレードによって放出された一次光を再分散又は変換するような、例えばレンズ又は他の光学素子であってもよい。第１及び／又は第２の二次光学系は、例えば、白色一次光を着色二次光に変換するために、蛍光物質等を含んでもよい。第１及び第２の二次光学系は、着脱可能とすることができる。
【００２２】
図４及び図５には、第１の二次光学系１１５及び第２の二次光学系１２５の詳細を示すようなソケット１００、ＯＬＥＤブレードパネル２００、及びＯＬＥＤ２９０の斜視図がさらに示されている。
図６及び図７には、ＯＬＥＤブレードパネル２００、第２の電気接点２１０、及びＯＬＥＤ２９０の拡大図が示されている。
【００２３】
図８では、ＯＬＥＤ２９０は、ＯＬＥＤブレードパネルから分離されており、それによって、ＯＬＥＤ２９０を受容するための着座部２５０を確認することができる。更に、ＯＬＥＤ２９０が着座部２５０に配置された場合に、ＯＬＥＤ２９０の電気接点（図示せず）に接触するように構成された第３の電気接点２２０が、示されている。
【００２４】
図９及び図１０には、ソケット４００の更なる実施形態が示されている。ソケット４００の電気コネクタ４３０は、ピン接点を含む。第１部分４１０及び第２部分４２０は、ここでは電気コネクタ４３０に対して位置合わせされている。ＯＬＥＤブレード３００によって放出された一次光は、こうして、第１の二次光学系４１５によって電気コネクタに向けられておらず、図１〜５に示した実施形態のように、第２の二次光学系４２５によって電気コネクタ４３０から離れる方向に向けられる。こうして、ソケット４００を使用して、コーン状等の光パターンを提供することによって、壁を照明することができる。
【００２５】
図１１に示されるように、ポスト（柱）４８０に到達するまで、ＯＬＥＤブレードパネル５００をスロット４７０内に配置することができる。ＯＬＥＤブレードパネル５００は、２つのディスク形状構造体を含んでおり、それによって、ＯＬＥＤ２９０をこの２つのディスク形状構造体の間に挟み込むことができる。２つのディスク形状構造体のそれぞれは、ＯＬＥＤブレードパネル５００をソケット４００に接続するための外側の第２の電気接点５１０と、ＯＬＥＤ２９０を接続するための内側の第３の電気接点５２０とを含む。
【００２６】
図１２及び図１３には、ＯＬＥＤブレードパネル６００の更なる実施形態が示されている。ＯＬＥＤブレードパネル６００は、ＯＬＥＤブレード３００をソケットに接続するための第２の電気接点６１０を含む。第２の電気接点６１０は、ＯＬＥＤブレードパネル６００内に埋め込まれたドライバ６６０に対して接続ケーブル６１５によって電気的に接続されるピン接点である。ドライバ６６０は、主電源（例えば、２４０Ｖ  ＡＣ）に直接的に接続されるような態様で配置されており、それによって、ＯＬＥＤブレードパネル６００と組み合わせて使用するソケットは、図３に示されるようなドライバを含まなくてもよい。ＯＬＥＤ２９０は、ＯＬＥＤブレードパネル６００内に埋め込まれ、且つ接続ケーブル６０５及び第３の電気接点（図示せず）を用いてドライバ６６０に電気的に接続される。第２の電気接点の接続ピンは、ＯＬＥＤブレードパネルが、ソケットの対応するスロット内に１つの明確な方法でのみ挿入することができる態様で配置される。こうして、接続ピンは、第２の機械式固定具として機能する。
【００２７】
ＯＬＥＤブレードパネルは、様々なＯＬＥＤを１つのソケットに使用する機会を提供することができる。不良品や古いＯＬＥＤを、簡易な方法で交換することができる。同様に、ＯＬＥＤブレードと固定接続されたＯＬＥＤを含むＯＬＥＤブレードを、別のＯＬＥＤブレードに交換してもよい。ＯＬＥＤブレードパネルは、ＯＬＥＤブレードによって提供されるような同様の又は同一の機械的及び電気的手段を含むことができる。ＯＬＥＤブレードパネルの場合には、機械式固定具を提供する必要があり、着脱可能なＯＬＥＤが、１つの明確な方法で、ＯＬＥＤブレードパネルの着座部にのみ挿入される。上述したように、ＯＬＥＤブレード及びソケットの組合せによって、利用可能な電気的設備と組み合わせて使用されるフレキシブルな光源が提供される。
【００２８】
本発明について、図面及び前述の詳細な説明において詳細に図示し且つ説明してきたが、このような図示及び説明は、例示又は例とみなすべきであり、本発明を制限するものではない。
本開示を理解することにより、他の変更が当業者には明らかになるであろう。このような変更は、本明細書で既に説明した特徴の代わりに又はこれに加えて使用することができる及び当該技術分野において既に公知である他の特徴を含むことができる。
【００２９】
開示された実施形態の変形形態は、図面、明細書の開示、及び添付の特許請求の範囲の検討から、当業者によって理解され且つ実施することができる。特許請求の範囲において、「備える、有する、含む(comprising)」という用語は、他の要素又はステップを除外するものではなく、不定冠詞「ある、１つの(a,  an)」は、複数の要素又はステップを排除するものではない。特定の手段が互いに異なる従属請求項に記載されているという単なる事実は、これらの手段の組合せが有利に使用できないことを示すものではない。
請求項における任意の参照符号は、その特許請求の範囲を限定するものとして解釈すべきでない。
【符号の説明】
【００３０】
１００，４００            ソケット
１１０，４１０            第１部分
１１５，４１５            第１の二次光学系
１２０，４２０            第２部分
１２５，４２５            第２の二次光学系
１３０，４３０            電気コネクタ
１４０                    第１の機械式固定具
１５０                    第１の電気接点
１６０                    ドライバ
１７０，４７０            スロット
２００，５００，６００    ＯＬＥＤブレードパネル
２１０，５１０，６１０    第２の電気接点
２２０，５２０            第３の電気接点
２５０                    着座部
２９０                    ＯＬＥＤ
３００                    ＯＬＥＤブレード
４８０                    ポスト
６０５                    接続ケーブル
６１５                    接続ケーブル
６６０                    ドライバ
【図１】
0006444979.tif 000002
【図２】
0006444979.tif 000003
【図３】
0006444979.tif 000004
【図４】
0006444979.tif 000005
【図５】
0006444979.tif 000006
【図６】
0006444979.tif 000007
【図７】
0006444979.tif 000008
【図８】
0006444979.tif 000009
【図９】
0006444979.tif 000010
【図１０】
0006444979.tif 000011
【図１１】
0006444979.tif 000012
【図１２】
0006444979.tif 000013
【図１３】
0006444979.tif 000014